(57)【要約】      （修正有）【課題】展示スペースを有効利用して玩具を無駄なく効率的に数多く展示すること、支持する玩具の数に拘らず安定的に支持することが出来る玩具支持台を提供する。【解決手段】支持台座１は、一定肉厚の方形状本体１１と、その両端部各々に接続された正方形接続部１２により構成する。その一方は、上面側が除かれ、前記方形状本体１１の肉厚の半分の肉厚を有する上半截接続部１２Ａであり、他方は、下面側が除かれ、前記方形状本体の肉厚の半分の肉厚を有する下半截接続部１２Ｂであり、前記方形状本体１１には、少なくとも１つのアーム部用穿孔１３が設けてあり、上半截接続部１２Ａ及び下半截接続部１２Ｂには各１つのアーム部用穿孔１３，１４，１５が設けてあり、且つ該上半截接続部のアーム部用穿孔の周囲には凹部又は凸部１４Ａが設けてあり、該下半截接続部のアーム部用穿孔の周囲には、前記凹部又は凸部１４Ａに嵌合する凸部又は凹部が設けてあり、縦・横いずれの方向にも接続し連結可能とした構成である。【選択図】図１
0003154498.tif 000002
【実用新案登録請求の範囲】
【請求項１】
支持台座にアーム部を立設して玩具を飾る玩具支持台において、
前記支持台座は、一定肉厚の方形状本体と、該方形状本体の両端部各々に接続された正方形接続部と、を有し、
該正方形接続部の一方は、上面側が除かれ、前記方形状本体の肉厚の半分の肉厚を有する上半截接続部であり、
該正方形接続部の他方は、下面側が除かれ、前記方形状本体の肉厚の半分の肉厚を有する下半截接続部であり、
前記方形状本体には、少なくとも１つのアーム部用穿孔が設けてあり、
前記上半截接続部及び下半截接続部には各１つのアーム部用穿孔が設けてあり、
且つ該上半截接続部のアーム部用穿孔の周囲には凹部又は凸部が設けてあり、該下半截接続部のアーム部用穿孔の周囲には、前記上半截接続部の凹部又は凸部に嵌合する凸部又は凹部が設けてあり、
縦・横いずれの方向にも接続し連結可能とした構成を有することを特徴とする玩具支持台。
【請求項２】
前記支持台座と同梱又は別梱で２種類の転倒防止用補助台座が用意されており、
該２種類の内の一方である第１転倒防止用補助台座は、前記支持台座の上半截接続部に接続可能な第１半截接続部と、該第１半截接続部に連接され該第１半截接続部の側方方向に延伸する第１転倒防止片部と、を有し、
該２種類の内の他方である第２転倒防止用補助台座は、前記支持台座の下半截接続部に接続可能な第２半截接続部と、該第２半截接続部に連接され該第２半截接続部の側方方向に延伸する第２転倒防止片部と、を有し、
前記第１半截接続部には前記上半截接続部のアーム部用穿孔と一致する位置にアーム部用穿孔が設けてあり、
且つ該第１半截接続部のアーム部用穿孔の周囲には、前記上半截接続部の凹部又は凸部に嵌合する凸部又は凹部が設けてあり、
前記第２半截接続部には前記下半截接続部のアーム部用穿孔と一致する位置にアーム部用穿孔が設けてあり、
且つ該第２半截接続部のアーム部用穿孔の周囲には、前記下半截接続部の凸部又は凹部に嵌合する凹部又は凸部が設けてあり、
該２種類の転倒防止用補助台座の少なくとも一方を支持台座に接続した際に該支持台座の側方に転倒防止片部が延びることで該支持台座の転倒を防止する構成であることを特徴とする請求項１に記載の玩具支持台。
【請求項３】
前記転倒防止用補助台座を前記支持台座に接続した際に、前記転倒防止片部が前記支持台座の側方方向であって且つ内向き方向に延伸する構成であることを特徴とする請求項１又は２に記載の玩具支持台。
【請求項４】
前記転倒防止用補助台座を前記支持台座に接続した際に、前記転倒防止片部が前記支持台座の側方方向であって且つ外向き方向に延伸する構成であることを特徴とする請求項１又は２に記載の玩具支持台。
【請求項５】
前記支持台座が複数用意され、複数の支持台座同士が縦・横いずれかの方向に接続し連結可能とした構成であることを特徴とする請求項１〜４のいずれかに記載の玩具支持台。
【請求項６】
前記アーム部が複数用意され、１つ又は複数の支持台座に立設して複数の玩具を飾ることが可能な構成であることを特徴とする請求項１〜５のいずれかに記載の玩具支持台。
【考案の詳細な説明】
【技術分野】
【０００１】
本考案は玩具支持台に関し、詳しくは人形・動物・乗り物類等の玩具を支持状態で飾るための玩具支持台に関する。
【背景技術】
【０００２】
支持台座にアーム部を立設して人形等の玩具を飾る玩具支持台がこれまで多種多様に提案されている（例えば、特許文献１〜５等参照）。
【０００３】
特許文献１〜４に記載の技術は、板状の支持台座に１本のアーム部が立設されて、この１本のアーム部によって１つの玩具（人形や飛行機玩具等）が支持されるものである。
【０００４】
しかし特許文献１〜４に記載の技術では、展示に際しては１つの玩具に対して１つの支持台座を用いるため、コレクションケース等の限られた展示スペース内に並べて飾るという一般的な展示を行う場合、支持台座の占有面積は玩具を平面視した際に占める占有面積よりも大であることから、展示したい玩具の数に対して実際に展示可能な数が少なくなってしまうという問題点を有している。
【０００５】
この点、特許文献５には、１つの支持台座に複数の玩具を支持することができる技術が記載されている。
【０００６】
しかし特許文献５に記載の技術では、安定性が悪く転倒し易いというの問題点を有している。更に複数の支持アームを取り付ける１つの取付部への負担が大きく、支持する玩具の重さや支持アームを可動させた際の負荷や応力等によって外れてしまったり、負荷や応力の大きさによっては破損・損傷してしまうことさえあるという問題点を有している。
【先行技術文献】
【特許文献】
【０００７】
【特許文献１】登録実用新案第３０５８７３４号
【特許文献２】特開２００２−１７７１０７号
【特許文献３】特開２００２−３５５４４７号
【特許文献４】特開２００３−３３４１２８号
【特許文献５】特開２００７−１１１３４４号
【考案の概要】
【考案が解決しようとする課題】
【０００８】
そこで本考案の課題は、展示スペースを有効利用して玩具を無駄なく効率的に数多く展示することが可能であり、しかも支持する玩具の数に拘らず安定的に支持することが可能な玩具支持台を提供することにある。
【課題を解決するための手段】
【０００９】
上記課題を解決する本考案は下記構成を有する。
【００１０】
１．支持台座にアーム部を立設して玩具を飾る玩具支持台において、
前記支持台座は、一定肉厚の方形状本体と、該方形状本体の両端部各々に接続された正方形接続部と、を有し、
該正方形接続部の一方は、上面側が除かれ、前記方形状本体の肉厚の半分の肉厚を有する上半截接続部であり、
該正方形接続部の他方は、下面側が除かれ、前記方形状本体の肉厚の半分の肉厚を有する下半截接続部であり、
前記方形状本体には、少なくとも１つのアーム部用穿孔が設けてあり、
前記上半截接続部及び下半截接続部には各１つのアーム部用穿孔が設けてあり、
且つ該上半截接続部のアーム部用穿孔の周囲には凹部又は凸部が設けてあり、該下半截接続部のアーム部用穿孔の周囲には、前記凹部又は凸部に嵌合する凸部又は凹部が設けてあり、
縦・横いずれの方向にも接続し連結可能とした構成を有することを特徴とする玩具支持台。
【００１１】
２．前記支持台座と同梱又は別梱で２種類の転倒防止用補助台座が用意されており、
該２種類の内の一方である第１転倒防止用補助台座は、前記支持台座の上半截接続部に接続可能な第１半截接続部と、該第１半截接続部に連接され該第１半截接続部の側方方向に延伸する第１転倒防止片部と、を有し、
該２種類の内の他方である第２転倒防止用補助台座は、前記支持台座の下半截接続部に接続可能な第２半截接続部と、該第２半截接続部に連接され該第２半截接続部の側方方向に延伸する第２転倒防止片部と、を有し、
前記第１半截接続部には前記上半截接続部のアーム部用穿孔と一致する位置にアーム部用穿孔が設けてあり、
且つ該第１半截接続部のアーム部用穿孔の周囲には、前記上半截接続部の凹部又は凸部に嵌合する凸部又は凹部が設けてあり、
前記第２半截接続部には前記下半截接続部のアーム部用穿孔と一致する位置にアーム部用穿孔が設けてあり、
且つ該第２半截接続部のアーム部用穿孔の周囲には、前記下半截接続部の凸部又は凹部に嵌合する凹部又は凸部が設けてあり、
該２種類の転倒防止用補助台座の少なくとも一方を支持台座に接続した際に該支持台座の側方に転倒防止片部が延びることで該支持台座の転倒を防止する構成であることを特徴とする上記１に記載の玩具支持台。
【００１２】
３．前記転倒防止用補助台座を前記支持台座に接続した際に、前記転倒防止片部が前記支持台座の側方方向であって且つ内向き方向に延伸する構成であることを特徴とする前記１又は２に記載の玩具支持台。
【００１３】
４．前記転倒防止用補助台座を前記支持台座に接続した際に、前記転倒防止片部が前記支持台座の側方方向であって且つ外向き方向に延伸する構成であることを特徴とする前記１又は２に記載の玩具支持台。
【００１４】
５．前記支持台座が複数用意され、複数の支持台座同士が縦・横いずれかの方向に接続し連結可能とした構成であることを特徴とする前記１〜４のいずれかに記載の玩具支持台。
【００１５】
６．前記アーム部が複数用意され、１つ又は複数の支持台座に立設して複数の玩具を飾ることが可能な構成であることを特徴とする前記１〜５のいずれかに記載の玩具支持台。
【考案の効果】
【００１６】
請求項１に示す考案によれば、展示スペースを有効利用して玩具を無駄なく効率的に数多く展示することが可能であり、しかも支持する玩具の数に拘らず安定的に支持することが可能な玩具支持台を提供することができる。
【００１７】
特に、アーム部を立設するためのアーム部用穿孔が、方形状本体に少なくとも１つ、上半截接続部及び下半截接続部に各１つの少なくとも計３つ設けられているため、必要に応じて１つの支持台座に少なくとも３本のアーム部を立設して少なくとも３つの玩具を飾ることができる。アーム部の立設に際しては、１つのアーム部用穿孔に対して１本のアーム部を立設するため、アーム部の取付部に大きな負荷が掛かることがない。
【００１８】
また、支持台座を縦・横いずれの方向にも複数接続することができるので、展示スペースの広さや形状、支持する玩具の数や大きさに応じて任意の数の支持台座を所望の配置で連結接続して用いることができる。
【００１９】
請求項２に示す考案によれば、転倒防止用補助台座を支持台座に接続することで転倒防止効果がより高くなり、より安定した支持が可能となる。
【００２０】
請求項３に示す考案によれば、転倒防止用補助台座の外方向への張り出しを抑制した状態で、より安定した支持が可能となる。
【００２１】
請求項４に示す考案によれば、転倒防止用補助台座による転倒防止効果をより効果的に発揮させることが可能となる。
【００２２】
請求項５に示す考案によれば、展示スペース、飾る玩具の種類や数等の種々の状況に応じて支持台座を様々な配置で連結接続することができる。
【００２３】
請求項６に示す考案によれば、飾る玩具の数に応じた数のアーム部を立設することで複数の玩具を飾ることができる。
【図面の簡単な説明】
【００２４】
【図１】本考案に係る玩具支持台の一実施例を示す拡散分解斜視図
【図２】支持台座の接続構成を説明する概略断面図
【図３】支持台座と転倒防止用補助台座の接続例の他の例を示す概略平面図
【図４】支持台座と転倒防止用補助台座の接続例の他の例を示す概略平面図
【図５】２つの支持台座の接続構成を説明する概略断面図
【図６】複数の支持台座の接続例の一例を示す概略平面図
【図７】複数のアーム部を立設した状態の一例を示す概略正面図
【考案を実施するための形態】
【００２５】
次に、添付の図面に従って本考案を詳細に説明する。
【００２６】
本考案に係る玩具支持台は、人形・動物・乗り物類等の玩具を支持状態で飾るための玩具支持台であり、具体的な構成は図１及び図２に示すように、支持台座１にアーム部２を立設して玩具を飾る玩具支持台において、
前記支持台座１は、一定肉厚の方形状本体１１と、該方形状本体１１の両端部各々に接続された正方形接続部１２と、を有し、
該正方形接続部１２の一方は、上面側が除かれ、前記方形状本体１１の肉厚の半分の肉厚を有する上半截接続部１２Ａであり、
該正方形接続部１２の他方は、下面側が除かれ、前記方形状本体１１の肉厚の半分の肉厚を有する下半截接続部１２Ｂであり、
前記方形状本体１１には、少なくとも１つ（本実施例では３つ）のアーム部用穿孔１３が設けてあり、
前記上半截接続部１２Ａ及び下半截接続部１２Ｂには各１つのアーム部用穿孔１４・１５が設けてあり、
且つ該上半截接続部１２Ａのアーム部用穿孔１４の周囲には凹部又は凸部１４Ａ（本実施例では凹部）が設けてあり、該下半截接続部１２Ｂのアーム部用穿孔１５の周囲には、前記凹部又は凸部１４Ａに嵌合する凸部又は凹部１５Ａ（本実施例では凸部。図２参照）が設けてあり、
縦・横いずれの方向にも接続し連結可能とした構成を有するものである。
【００２７】
支持台座１には、２種類の転倒防止用補助台座３を接続することで、該支持台座１の安定性をより向上させることで転倒防止効果をより発揮させることができる。
【００２８】
転倒防止用補助台座３は、図１及び図２に示すように、前記支持台座１と同梱又は別梱で２種類の転倒防止用補助台座３が用意されており、
該２種類の内の一方である第１転倒防止用補助台座３Ａは、前記支持台座１の上半截接続部１２Ａに接続可能な第１半截接続部３１Ａと、該第１半截接続部３１Ａに連接され該第１半截接続部３１Ａの側方方向に延伸する第１転倒防止片部３２Ａと、を有し、
該２種類の内の他方である第２転倒防止用補助台座３Ｂは、前記支持台座１の下半截接続部１２Ｂに接続可能な第２半截接続部３１Ｂと、該第２半截接続部３１Ｂに連接され該第２半截接続部３１Ｂの側方方向に延伸する第２転倒防止片部３２Ｂと、を有し、
前記第１半截接続部３１Ａには前記上半截接続部１２Ａのアーム部用穿孔１４と一致する位置にアーム部用穿孔３３が設けてあり、
且つ該第１半截接続部３１Ａのアーム部用穿孔３３の周囲には、前記上半截接続部１２Ａの凹部又は凸部１４Ａ（本実施例では凹部）に嵌合する凸部又は凹部３３Ａ（本実施例では凸部）が設けてあり、
前記第２半截接続部３１Ｂには前記下半截接続部１２Ｂのアーム部用穿孔１５と一致する位置にアーム部用穿孔３４が設けてあり、
且つ該第２半截接続部３１Ｂのアーム部用穿孔３４の周囲には、前記下半截接続部１２Ｂの凸部又は凹部１５Ａ（本実施例では凸部）に嵌合する凹部又は凸部３４Ａ（本実施例では凹部）が設けてあり、
該２種類の転倒防止用補助台座３（３Ａ・３Ｂ）の少なくとも一方（本実施例では両方）を支持台座１に接続した際に該支持台座１の側方に転倒防止片部３２Ａ・３２Ｂが延びることで該支持台座１の転倒を防止する構成を有するものである。
【００２９】
支持台座１に転倒防止用補助台座３を接続する方法について以下説明する。
【００３０】
上半截接続部１２Ａには、２種類の転倒防止用補助台座３の内の一方である第１転倒防止用補助台座３Ａを接続することができる。
【００３１】
この接続は、図２に示すように、上半截接続部１２Ａのアーム部用穿孔１４に第１転倒防止用補助台座３Ａのアーム部用穿孔３３が一致するように、該上半截接続部１２Ａの上面に第１半截接続部３１Ａの下面を合わせるように載せて、アーム部用穿孔１４の周囲に設けられた凹部又は凸部１４Ａ（本実施例では凹部）にアーム部用穿孔３３の周囲に設けられた凸部又は凹部３３Ａ（本実施例では凸部）を嵌合させることで可能となる。
【００３２】
また、下半截接続部１２Ｂには、２種類の転倒防止用補助台座３の内の他方である第２転倒防止用補助台座３Ｂを接続することができる。
【００３３】
この接続は、図２に示すように、下半截接続部１２Ｂのアーム部用穿孔１５に第２転倒防止用補助台座３Ｂのアーム部用穿孔３４が一致するように、第２半截接続部３１Ｂの上面に下半截接続部１２Ｂの下面を合わせるように載せて、アーム部用穿孔１５の周囲に設けられた凸部又は凹部１５Ａ（本実施例では凸部）にアーム部用穿孔３４の周囲に設けられた凹部又は凸部３４Ａ（本実施例では凹部）を嵌合させることで可能となる。
【００３４】
支持台座１及び転倒防止用補助台座３の材質としては、この種の玩具支持台に用いられる材質として公知公用のもの、例えば、各種合成樹脂（例えば、ウレタン樹脂、アクリル樹脂、ＡＢＳ樹脂、ナイロン樹脂、ポリカーボネート樹脂、ポリプロピレン樹脂、スチロール樹脂、ポリ塩化ビニル樹脂、ポリスチレン樹脂、ＦＲＰ樹脂等）、金属（例えば、アルミニウム、ステンレス等）、木（例えば、紫檀、黒檀等）、合成又は天然ゴム、セラミック等を特別の制限なく用いることができる。
【００３５】
また、支持台座１及び転倒防止用補助台座３は、肉厚部材を用いて或いは肉厚に成形することで内部まで同一素材の一体的な成形物構成であってもよいし、或いは、内部は空洞構成や、薄板材等を積層した構成や、木等の粉砕チップ・粉末等に樹脂含浸して硬化させた構成や、内部空洞構成の本体に底板を取付けた複数部材構成等の構成を有していてもよい。
【００３６】
図１に示すようにアーム部２は、支持台座１（及び転倒防止用補助台座３）に設けられたアーム部用穿孔１３・１５（及び／又は３３・３４）の任意の位置にアーム部２の基軸部２１を嵌合させることで立設が可能である。
【００３７】
アーム部２の構成としては、この種の玩具支持台に用いられて玩具を支持するアーム部として公知公用のものを特別の制限なく挙げることができる。例えば、図１に示す本実施例では、第１腕部２２、第２腕部２３、保持部２４、第１関節部２５、第２関節部２６、第３関節部２７とを有してなり、各関節部において折れ曲がり可能であると共に基軸部２１部分において回動可能な構成のものが用いられている。保持部２４は、玩具が人形である場合に該人形の胴部を握持保持して支持する保持アーム部２４Ａ・２４Ｂとその関節部２４Ｃとを有して成る。
【００３８】
アーム部２の材質としては、この種の玩具支持台のアーム部に用いられる材質として公知公用のものを特別の制限なく用いることができる。
【００３９】
また、アーム部２についても前記支持台座１及び転倒防止用補助台座３と同様に、各部材が、肉厚部材を用いて或いは肉厚に成形することで内部まで同一素材の一体的な成形物構成であってもよいし、或いは、内部は空洞構成や、薄板材等を積層した構成や、木等の粉砕チップ・粉末等に樹脂含浸して硬化させた構成や、内部空洞構成の複数部材を組み合わせた複数部材構成等の構成を有していてもよい。
【００４０】
以上、本考案に係る玩具支持台の一実施例について説明したが、本考案は上記実施例に限定されず、本考案の範囲内において種々の他の態様態様を採ることもできる。
【００４１】
例えば、上記実施例では、支持台座１及び転倒防止用補助台座３に形成されたアーム部用穿孔１３・１４・１５・３３・３４の各々は正六角形としたが、本考案はかかる形状に限定されず、他の正多角形や円形であってもよい。
【００４２】
例えば、上記実施例では、転倒防止用補助台座３の転倒防止片部３２Ａ・３２Ｂは、該転倒防止用補助台座３を支持台座１に接続した際に、前記転倒防止片部３２Ａ・３２Ｂが前記支持台座１の側方方向であって且つ外向き方向に延伸する構成としていたが、本考案はかかる構成に限定されず、図３に示すように、前記転倒防止片部３２Ａ・３２Ｂが前記支持台座１の側方方向であって且つ内向き方向に延伸する構成とすることもできる。
【００４３】
また、上記実施例では、１つの支持台座１に２つの転倒防止用補助台座３を接続した構成としていたが、本考案はかかる構成に限定されず、複数の支持台座１を連結接続することもできる。
【００４４】
例えば、図４は２つの支持台座１を縦方向に連結接続した場合の一例を示す。支持台座１同士を連結接続する場合、図５に示すように、１つ目の支持台座１の上半截接続部１２Ａに、２つ目の支持台座１の下半截接続部１２Ｂを接続することで連結接続が可能となる。
【００４５】
図６は４つの支持台座１を横方向（直角方向）に連結接続した場合の一例を示す。この接続の場合、１つ目の支持台座１の上半截接続部１２Ａに２つ目の支持台座１の下半截接続部１２Ｂを横方向（直角方向）に接続し、２つ目の支持台座１の上半截接続部１２Ａに３つ目の支持台座１の下半截接続部１２Ｂを横方向（直角方向）に接続し、３つ目の支持台座１の上半截接続部１２Ａに４つ目の支持台座１の下半截接続部１２Ｂを横方向（直角方向）に接続し、４つ目の支持台座１の上半截接続部１２Ａに１つ目の支持台座１の下半截接続部１２Ｂを横方向（直角方向）に接続することでロ字状に連結接続した構成となる。
【００４６】
複数の支持台座１を連結接続する場合、縦方向と横方向への接続を混在させたり、横方向であっても接続の度に向きを変えてジグザグ状に接続させたり、コレクションケース等の展示スペースの状況や使用者の嗜好等の各種条件に応じて種々の配置構成で連結接続することが可能となる。
【００４７】
更に、上記実施例では１本のアーム部２を立設した構成としていたが、本考案はかかる構成に限定されず、飾る玩具の大きさや形状・数、コレクションケース等の展示スペースの状況や使用者の嗜好等の各種条件に応じて、アーム部２を１つ又は複数の支持台座１に立設して複数の玩具を飾る構成とすることもできる。
【００４８】
例えば、図７は１つの支持台座１に３本のアーム部２を立設した構成の一例を示す。
【符号の説明】
【００４９】
１  支持台座
１１  方形状本体
１２  正方形接続部
１２Ａ  上半截接続部
１２Ｂ  下半截接続部
１３  アーム部用穿孔
１４  アーム部用穿孔
１４Ａ  凹部又は凸部
１５  アーム部用穿孔
１５Ａ  凸部又は凹部
２  アーム部
２１  基軸部
２２  第１腕部
２３  第２腕部
２４  保持部
２４Ａ  保持アーム部
２４Ｂ  保持アーム部
２４Ｃ  関節部
２５  第１関節部
２６  第２関節部
２７  第３関節部
３  転倒防止用補助台座
３Ａ  第１転倒防止用補助台座
３１Ａ  第１半截接続部
３２Ａ  第１転倒防止片部
３Ｂ  第２転倒防止用補助台座
３１Ｂ  第２半截接続部
３２Ｂ  第２転倒防止片部
３３  アーム部用穿孔
３３Ａ  凸部又は凹部
３４  アーム部用穿孔
３４Ａ  凹部又は凸部
【図１】
0003154498.tif 000003
【図２】
0003154498.tif 000004
【図３】
0003154498.tif 000005
【図４】
0003154498.tif 000006
【図５】
0003154498.tif 000007
【図６】
0003154498.tif 000008
【図７】
0003154498.tif 000009
【手続補正書】
【提出日】平成21年8月12日(2009.8.12)
【手続補正１】
【補正対象書類名】明細書
【補正対象項目名】００１２
【補正方法】変更
【補正の内容】
【００１２】
３．前記転倒防止用補助台座を前記支持台座に接続した際に、前記転倒防止片部が前記支持台座の側方方向であって且つ内向き方向に延伸する構成であることを特徴とする前記２に記載の玩具支持台。
【手続補正２】
【補正対象書類名】明細書
【補正対象項目名】００１３
【補正方法】変更
【補正の内容】
【００１３】
４．前記転倒防止用補助台座を前記支持台座に接続した際に、前記転倒防止片部が前記支持台座の側方方向であって且つ外向き方向に延伸する構成であることを特徴とする前記２に記載の玩具支持台。
【手続補正３】
【補正対象書類名】実用新案登録請求の範囲
【補正対象項目名】請求項３
【補正方法】変更
【補正の内容】
【請求項３】
前記転倒防止用補助台座を前記支持台座に接続した際に、前記転倒防止片部が前記支持台座の側方方向であって且つ内向き方向に延伸する構成であることを特徴とする請求項２に記載の玩具支持台。
【手続補正４】
【補正対象書類名】実用新案登録請求の範囲
【補正対象項目名】請求項４
【補正方法】変更
【補正の内容】
【請求項４】
前記転倒防止用補助台座を前記支持台座に接続した際に、前記転倒防止片部が前記支持台座の側方方向であって且つ外向き方向に延伸する構成であることを特徴とする請求項２に記載の玩具支持台。